(57)【要約】【課題】収納物の商品としての価値を保つことが可能な収納ケースを提供する。【解決手段】直方体形状の収納物が収納される収納部を備えた収納ケースであって、前記収納部は、前記収納物の８つの頂点部と対応する夫々の位置に支持部を有する構造になっている。【選択図】　　　　図６
2004026213.tif 000002
【特許請求の範囲】
【請求項１】
直方体形状の収納物が収納される収納部を備えた収納ケースであって、
前記収納部は、前記収納物の８つの頂点部と対応する夫々の位置に支持部を有する構造になっていることを特徴とする収納ケース。
【請求項２】
請求項１に記載の収納ケースにおいて、
ベース部材及び蓋部材を含むケース本体を更に有し、
前記収納部は、ベース部材及び蓋部材で構成されることを特徴とする収納ケース。
【請求項３】
請求項１に記載の収納ケースにおいて、
前記支持部は、前記収納部の隣り合う３面に接する面で構成されていることを特徴とする収納ケース。
【請求項４】
請求項１に記載の収納ケースにおいて、
前記収納物は、集積回路が内蔵された携帯用カードであることを特徴とする収納ケース。
【請求項５】
互いに反対側に位置する主面及び裏面を有する直方体形状の収納物が収納される収納部を備えた収納ケースであって、
前記収納部は、前記収納物の主面側の互いに反対側に位置する２つの辺と対応する夫々の位置、並びに、前記収納物の裏面側の互いに反対側に位置する２つの辺と対応する夫々の位置に支持部を有する構造になっていることを特徴とする収納ケース。
【発明の詳細な説明】
【０００１】
【発明の属する技術分野】
本発明は、収納ケースに関し、特に、集積回路が内蔵された携帯用カードを収納する収納ケースに適用して有効な技術に関するものである。
【０００２】
【従来の技術】
集積回路が内蔵された携帯用カードとして、例えばＰＣ（ＰＣＭＣＩＡ：Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ）カードと呼称される携帯用カードが知られている。このＰＣカードは、収納ケースに収納され、製品として出荷される。収納ケースは、ベース部材及び蓋部材で形成される収納部を含むケース本体を主体とする構成になっている。ＰＣカードは、互いに反対側に位置する主面及び裏面を有する直方体形状になっており、主面側に化粧パネルが設けられている。化粧パネルには社名、製品名等の表示がなされている。
【０００３】
【発明が解決しようとする課題】
ＰＣカードを収納した収納ケースは、出荷から納入までの輸送時に振動を受ける。この時、収納ケースの収納部の内面とＰＣカードの外壁面との間に異物が入り込んでいた場合、輸送時の振動により、収納ケースの収納部の内壁面及びＰＣカードの外面に傷が付く。特に、ＰＣカードの化粧パネルに傷が付いた場合、ＰＣカードの商品としての価値が著しく低下する。
【０００４】
そこで、ＰＣカードの主面及び裏面と対向する収納部の夫々の内面に突起状の支持部（リブ）を設け、収納部の内面とＰＣカードとの間に隙間が生じるようにすることにより、異物に起因する傷を抑制することができる。
【０００５】
しかしながら、このような手法では、輸送時の振動による支持部とＰＣカードとの擦れによってＰＣカードの主面及び裏面に傷が付く。
【０００６】
本発明の目的は、収納物の商品としての価値を保つことが可能な収納ケースを提供することにある。
本発明の前記並びにその他の目的と新規な特徴は、本明細書の記述及び添付図面によって明らかになるであろう。
【０００７】
【課題を解決するための手段】
本願において開示される発明のうち、代表的なものの概要を簡単に説明すれば、下記のとおりである。
（１）直方体形状の収納物が収納される収納部を備えた収納ケースであって、
前記収納部は、前記収納物の８つの頂点部と対応する夫々の位置に支持部を有する構造になっている。
（２）手段（１）に記載の収納ケースにおいて、
ベース部材及び蓋部材を含むケース本体を更に有し、
前記収納部は、ベース部材及び蓋部材で構成される。
（３）手段（１）に記載の収納ケースにおいて、
前記支持部は、前記収納部の隣り合う３面に接する面で構成されている。
（４）手段（３）に記載の収納ケースにおいて、
前記収納物は、集積回路が内蔵された携帯用カードである。
（５）互いに反対側に位置する主面及び裏面を有する直方体形状の収納物が収納される収納部を備えた収納ケースであって、
前記収納部は、前記収納物の主面側の互いに反対側に位置する２つの辺と対応する夫々の位置、並びに、前記収納物の裏面側の互いに反対側に位置する２つの辺と対応する夫々の位置に支持部を有する構造になっている。
【０００８】
【発明の実施の形態】
以下、図面を参照して本発明の実施の形態を詳細に説明する。なお、発明の実施の形態を説明するための全図において、同一機能を有するものは同一符号を付け、その繰り返しの説明は省略する。
【０００９】
（実施形態１）
本実施形態では、ＰＣカードを収納する収納ケースについて説明する。
図１は、実施形態１の収納ケースを示す斜視図であり、
図２は、図１の収納ケースに収納されるＰＣカードの斜視図であり、
図３は、図１の収納ケースの収納部に図２のＰＣカードを収納した状態を示す平面図であり、
図４は、図１の収納ケースの収納部に図２のＰＣカードを収納した状態を示す断面図（（ａ）は図３のＡ−Ａ線に沿う断面図，（ｂ）は図３のＢ−Ｂ線に沿う断面図）であり、
図５は、図３の収納部の斜視図であり、
図６は、図５の一部を拡大した斜視図である。
【００１０】
図１に示すように、本実施形態の収納ケース１は、ベース部材３と蓋部材４とで形成される収納部５を含むケース本体２を主体とする構成になっている。収納ケース１の収納部５は、図２に示すＰＣカード１０の収納が可能な構造になっている。蓋部材４は、ベース部材３に対して開閉（片開き）できるようにベース部材３に支持されている。ベース部材３及び蓋部材４は、例えば、プラスチック等の透明の絶縁性材料で形成されている。
【００１１】
ＰＣカード１０は、図２に示すように、互いに反対側に位置する主面及び裏面と、４つの側面とを有する直方体形状になっている。この直方体形状のＰＣカード１０は、主面と２つ側面（３面）とが交わる４つの角部、並びに裏面と２つの側面（３面）とが交わる４つの角部からなる８つの頂点部を有している。また、ＰＣカード１０は、図４に示すように、その主面側に化粧パネル１１を有する構造になっており、化粧パネル１１には社名、製品名等の表示がなされている。
【００１２】
収納ケース１の収納部５は、図３及び図４に示すように、ＰＣカード１０と同様に、互いに反対側に位置する主面及び裏面と、４つの側面とを有する直方体形状になっており、その外形寸法はＰＣカード１０よりも若干大きくなっている。
【００１３】
収納ケース１の収納部５は、図３、図５及び図６に示すように、ＰＣカード１０の８つの頂点部１２と対応する夫々の位置に支持部６を有する構造になっている。即ち、収納部５は、収納部５にＰＣカード１０を収納した時、ＰＣカード１０の８つの頂点部１２を８つの支持部６で夫々支持する構造になっている。
【００１４】
支持部６は、収納部５の隣り合う３面に接する支持面６ａを有する構造になっており、この支持面６ａにＰＣカード１０の頂点部１２が当接される。従って、ＰＣカード１０は、図４に示すように、収納部５の内面（主面、裏面、４つの側面）から離間した状態で収納ケース１の収納部５に収納される。
【００１５】
このように、収納ケース１の収納部を、ＰＣカード１０の８つの頂点部部１２に対応する夫々の位置に支持部６を有する構造にすることにより、収納部５の内面（主面、裏面、４つの側面）からＰＣカード１０を離間した状態で収納部５にＰＣカード１０を収納できるため、出荷から納入までの輸送時に振動を受けたとしても、収納部５とＰＣカード１０との間に入り込んだ異物に起因する収納部５及びＰＣカード１０の傷付きを抑制できる。また、ＰＣカードの主面及び裏面に支持部６が接触しないため、支持部６との擦れによるＰＣカード１０の主面及び裏面の傷付きを抑制できる。この結果、ＰＣカード１０の商品としての価値を保つことができる。特に、ＰＣカード１０は、主面に商品としての顔となる化粧パネル１１を設けた構造になっているため、この化粧パネル１１の傷付きを抑制することは重要である。
【００１６】
なお、本実施形態においてもＰＣカード１０の頂点部部１２に多少なりとも傷が付くが、頂点部１２の傷は目立たないため、商品としての価値はさほど下がらない。
【００１７】
（実施形態２）
図７は、本実施形態の収納ケースの収納部にＰＣカードを収納した状態を示す断面図（（ａ）はＸ方向に沿う断面図，（ｂ）はＸ方向と直行するＹ方向に沿う断面）である。
【００１８】
図７に示すように、本実施形態の収納ケース９は、基本的に前述の実施形態１と同様の構成になっており、以下の構成がことなっている。
【００１９】
即ち、収納ケース９の収納部５は、ＰＣカード１０の主面側の４つの辺と対応する夫々の位置、並びに、ＰＣカード１０の裏面側の４つの辺と対応する夫々の位置に支持部６を有する構造になっている。収納部５の主面側の支持部６は、少なくとも収納部５の主面及び１つの側面に接する支持面を有する構造になっており、収納部５の裏面側の支持部６は、少なくとも収納部５の主面及び１つの側面に接する支持面を有する構造になっている。このような構造の収納部５においても前述の実施形態１と同様の効果が得られる。
【００２０】
なお、収納部５は、Ｘ方向及びＹ方向のうちの何れか一方の方向に支持部６を設け、他方の方向に支持部を設けない構造にしてもよい。即ち、収納部５は、ＰＣカード１０の主面側の互いに反対側に位置する２つの辺と対応する夫々の位置、並びに、ＰＣカード１０の裏面側の互いに反対側に位置する２つの辺と対応する夫々の位置に支持部６を設けた構造にしてもよい。
【００２１】
以上、本発明者によってなされた発明を、前記実施の形態に基づき具体的に説明したが、本発明は、前記実施の形態に限定されるものではなく、その要旨を逸脱しない範囲において種々変更可能であることは勿論である。
【００２２】
【発明の効果】
本願において開示される発明のうち代表的なものによって得られる効果を簡単に説明すれば、下記のとおりである。
【００２３】
本発明によれば、収納物の商品としての価値を保つことが可能な収納ケースを提供することができる。
【図面の簡単な説明】
【図１】本発明の実施形態１の収納ケースを示す斜視図である。
【図２】図１の収納ケースに収納されるＰＣカードの斜視図である。
【図３】図１の収納ケースの収納部に図２のＰＣカードを収納した状態を示す平面図である。
【図４】図１の収納ケースの収納部に図２のＰＣカードを収納した状態を示す断面図（（ａ）は図３のＡ−Ａ線に沿う断面図，（ｂ）は図３のＢ−Ｂ線に沿う断面図）である。
【図５】図３の収納部の斜視図である。
【図６】図５の一部を拡大した斜視図である。
【図７】本発明の実施形態２の収納ケースの収納部にＰＣカードを収納した状態を示す断面図（（ａ）はＸ方向に沿う断面図，（ｂ）はＸ方向と直行するＹ方向に沿う断面）である。
【符号の説明】
１，９…収納ケース、２…ケース本体、３…ベース部材、４…蓋部材、５…収納部、６…支持部、６ａ…支持面、１０…ＰＣカード、１１…化粧パネル、１２…頂点部。
【図１】
2004026213.tif 000003
【図２】
2004026213.tif 000004
【図３】
2004026213.tif 000005
【図４】
2004026213.tif 000006
【図５】
2004026213.tif 000007
【図６】
2004026213.tif 000008
【図７】
2004026213.tif 000009